(57)【要約】【課題】商品コラム間の作業スペースの個数を少なくして、商品収納容量の減少を極力小さくできる自動販売機の商品コラムを提供する。【解決手段】隣接する各商品通路部材３１同士が側壁３１１を共通にして連結し、これにより、商品コラム３を構成するため、１個の商品コラム３に複数列の商品配列通路が形成される。したがって、商品配列通路が多数の割には商品コラム３の数が全体として少なくなるため、隣接する各商品コラム間に形成される支持部材配置用の空間もその分少なくなり、商品収納室の商品収納容量を増大できる。【選択図】図３
2008299598.tif 000002
【特許請求の範囲】
【請求項１】
商品を前後方向に配列し商品収納室内に左右に複数配置した自動販売機の商品コラムにおいて、
前後方向に延在した側壁と側壁から左右一方に延在した底壁とからなり該底壁の延在端を介して互いに連結可能な商品通路部材と、該商品通路部材の底壁の延在端に連結可能な通路側面部材とを有し、
前記商品通路部材は左右一方に向かって複数配置されるとともに互いに隣接する該各商品通路部材は該各延在端を介して連結され、前記通路側面部材は該各商品通路部材のうち左右一方の最も端に位置する商品通路部材の延在端に連結された
自動販売機の商品コラム。
【請求項２】
前記各商品通路部材の後端と前記通路側面部材の後端とを後端連結部材を介して一体に連結した
ことを特徴とする請求項１記載の自動販売機の商品コラム。
【請求項３】
前記商品通路部材に配列した商品を前方に押し出すプッシャを有し、該プッシャを前記商品通路部材の側壁に支持してなる
ことを特徴とする請求項１又は請求項２記載の自動販売機の商品コラム。
【請求項４】
前記プッシャの上部を左右に隣接する前記各側壁の上部に支持するとともに、該プッシャの下部を左右に隣接する少なくとも一方の側壁に支持する
ことを特徴とする請求項３記載の自動販売機の商品コラム。
【請求項５】
前記商品通路部材には前記プッシャの側面に対向する通路幅調整用のスペーサを有するとともに、前記プッシャ及び該スペーサの対向する部位のうちの一方には他方に向かって突出した凸部を有し、他方には該凸部の外周縁を囲むよう形成された凹部を有する
ことを特徴とする請求項３又は請求項４記載の自動販売機の商品コラム。
【請求項６】
前記スペーサの下端を前記商品通路部材の底壁に支持するとともに、該スペーサの上端を前記プッシャに遊嵌してなる
ことを特徴とする請求項５記載の自動販売機の商品コラム。
【発明の詳細な説明】
【技術分野】
【０００１】
本発明は、商品を前後方向に配列し自動販売機の商品コラムに関するものである。
【背景技術】
【０００２】
従来、この種の商品コラムは種々提案されているが、一般的には商品が載せられる底壁と底壁の左右に延在された側壁により商品通路を形成したものが知られている。商品を搬出するときは、商品コラムの底壁に設置されたプッシャを駆動して後方の商品を前方に押し出し、最も前方にある商品から一個ずつ落下搬出する構造となっている。
【特許文献１】特開２００６−３１８２５８号公報
【発明の開示】
【発明が解決しようとする課題】
【０００３】
ところで、商品コラムに商品を補充する際、或いは、商品コラムを修理保全する際は、商品コラム毎に前方に引き出したり、或いは、前方に引き出された商品コラムを取り外したりするが、このような商品コラム毎の引出操作或いは取外操作を実現するため、各隣接する商品コラム間に前後方向に延びる支持部材を形成し、この支持部材を介して商品コラムを前に引き出せるようにしている。ここで、従来の商品コラムではコラム毎に商品列が一列のみとなっているため、各商品列の数分だけ商品コラムがあり、また、各商品コラム間の支持部材配置空間もこれまた多数となっている。
【０００４】
しかしながら、各商品コラム間に形成されるスペースは一つ一つは僅かなものに過ぎないが、各商品コラムの個数が多数となっているため、スペースを全て合わせると極めて大きなスペースとなり、自動販売機の商品収納容量を減少させる大きな原因になっていた。
【０００５】
本発明の目的は前記従来の課題に鑑み、商品コラム間の支持部材配置スペースの個数を少なくして、商品収納容量の減少を極力小さくできる自動販売機の商品コラムを提供することにある。
【課題を解決するための手段】
【０００６】
本発明は前記課題を解決するため、請求項１の発明は、商品を前後方向に配列し商品収納室内に左右に複数配置した自動販売機の商品コラムにおいて、前後方向に延在した側壁と側壁から左右一方に延在した底壁とからなり底壁の延在端を介して互いに連結可能な商品通路部材と、商品通路部材の底壁の延在端に連結可能な通路側面部材とを有し、商品通路部材は左右一方に向かって複数配置されるとともに互いに隣接する各商品通路部材は各延在端を介して連結され、通路側面部材は各商品通路部材のうち左右一方の最も端に位置する商品通路部材の延在端に連結されている。
【０００７】
請求項１の発明によれば、隣接する各商品通路部材同士が側壁を共通にして連結し商品コラムを構成するため、１個の商品コラムに複数列の商品配列通路が形成される。したがって、商品コラムの数が全体として少なくなるため、各商品コラム間に形成されるスペースも少なくなる。
【０００８】
請求項２の発明は、請求項１の自動販売機の商品コラムにおいて、各商品通路部材の後端と通路側面部材の後端とを後端連結部材を介して一体に連結している。これにより、商品コラムの強度が向上する。
【０００９】
請求項３の発明は、請求項１又は請求項２の自動販売機の商品コラムにおいて、商品通路部材に配列した商品を前方に押し出すプッシャを有し、プッシャを商品通路部材の側壁に支持している。
【００１０】
従来は底壁にプッシャを設置し、この底壁にプッシャ用の案内溝などが加工されていたため、底壁に加わる商品荷重と相俟って、底壁が変形するという問題点を有していた。これに対して、請求項３の発明はプッシャを商品通路部材の側壁に支持しているため、底壁の変形等の不具合が起きない。なお、請求項４の発明の如く、プッシャの上部を左右に隣接する各側壁の上部に支持するとともに、プッシャの下部を左右に隣接する少なくとも一方の側壁に支持するよう構成してもよい。
【００１１】
請求項５の発明は、請求項３又は請求項４の自動販売機の商品コラムにおいて、商品通路部材には前記プッシャの側面に対向する通路幅調整用のスペーサを有するとともに、プッシャ及びスペーサの対向する部位のうちの一方には他方に向かって突出した凸部を有し、他方には凸部の外周縁を囲むよう形成された凹部を有する構造となっている。
【００１２】
請求項５の発明によれば、プッシャ及びスペーサの両者が上下方向に亘って重なり合っているため、通路幅を拡大するようスペーサをプッシャから離隔してセットする場合においても、凸部の先端と凹部の先端との間の隙間がさほど大きくなることがなく、これにより、プッシャとスペーサとの間の隙間に商品が挟まることがない。
【００１３】
請求項６の発明は、請求項５の自動販売機の商品コラムにおいて、スペーサの下端を商品通路部材の底壁に支持するとともに、スペーサの上端をプッシャに遊嵌しているため、スペーサの上下端が底壁及びスペーサで支持される。
【発明の効果】
【００１４】
本発明によれば、１個の商品コラムに複数列の商品配列通路が形成されるため、商品収納室の幅方向寸法の割には商品コラムの数が少なく、これにより、各商品コラム間に形成される配置空間が少なくなる。したがって、各商品コラム間の配置空間が少なくなる分、商品収納室の商品収納容量を増大させることができる。
【発明を実施するための最良の形態】
【００１５】
図１乃至図１１は本発明に係る自動販売機の商品コラムの一実施形態を示すもので、図１は自動販売機の正面図、図２は商品コラムの組み付け方法を示す分解斜視図、図３は商品コラムの分解斜視図、図４は商品通路部材と後面連結部材との連結構造を示す分解斜視図、図５は後端連結部材の支持構造を示す斜視図、図６はゼンマイバネの配置状態を示す平面図、図７は商品コラムの一部省略正面断面図、図８はスペーサの側面図、図９はスペーサを設置した状態を示す商品コラムの一部省略正面断面図、図１０はスペーサ及びプッシャの変形例を示す商品コラムの一部省略正面断面図、図１１はプッシャの他の変形例を示す一部切欠き平面図である。
【００１６】
本実施家形態に係る商品コラムは自動販売機に設置されるもので、まず、自動販売機の概略構成を図１及び図２を参照して説明する。
【００１７】
図１に示すように、自動販売機１の正面に外扉１１を開閉自在に設置している。この外扉１１には商品サンプル部１２、商品選択ボタン１３、商品取出口１４、紙幣投入装置１５、硬貨投入口１６、商品搬送用のバケット１７等が設置されている。
【００１８】
図２に示すように、外扉１１の内側には商品収納室２が形成されている。商品収納室２の内側には後述する商品コラム３を支持する支持部材として、商品収納室２の左右方向に延在された板状の第１支持部材２１と、前後方向に延在された複数の棒状の第２支持部材２２とを有している。第１支持部材２１は商品コラム３の先端側を支持するもので、左右をブラケット２３を介して商品収納室２の側壁２４に固定している。また、第２支持部材２２は商品コラム３の底を前後に亘って支持するもので、先端を第１支持部材２１に挿入固定するとともに、後端を商品収納室２の背壁２５に挿入固定している。これらの第１、２支持部材２１，２２により商品コラム３が商品収納室２内に支持される構造となっている。このように支持された各商品コラム３には図１に示すバケット１７が移動し、次いで、バケット１７が商品コラム３から商品Ａを受け取り、この商品Ａを商品取出口１４に搬送するようになっている。
【００１９】
図３に示すように、商品コラム３は、３個の商品通路部材３１と、商品通路部材３１に連結する通路側面部材３２と、各商品通路部材３１及び通路側面部材３２に連結する後端連結部材３３と、各商品通路部材３１の搬出口を開閉するゲート３４と、各商品通路部材３１内の商品滑走を良好にするスライダ３５と、各商品通路部材３１内の商品Ａを前方に向かって押圧するプッシャ３６と、商品通路幅を調整するスペーサ３７（図８及び図９に示す）とを有している。
【００２０】
まず、商品通路部材３１の構成を主に図３を参照して説明する。各商品通路部材３１は前後方向に延在した側壁３１１と側壁３１１から図３に向かって右方向に延在した底壁３１２を一体に形成してなる。
【００２１】
商品通路部材３１の構成のうち側壁３１１を図３及び図７を参照して説明する。図３に示すように、側壁３１１の上端には前後方向に切り込んだプッシャ第１案内溝３１１ａを形成している。側壁３１１の内面のうち上下方向略中央には多少幅広のゼンマイバネ案内溝３１１ｂを形成し、同じく側壁３１１の内面のうち下部側にはプッシャ第２案内溝３１１ｃを形成している。図７に示すように、側壁３１１の外面には前後方向に切り込んで形成したプッシャ第３案内溝３１１ｄと通路部材連結溝３１１ｅを有している。プッシャ第３案内溝３１１ｄはプッシャ第１案内溝３１１ａの僅かに下方に位置し、通路部材連結溝３１１ｅは側壁３１１の下部に位置している。
【００２２】
側壁３１１の先端下部には、図３に示すように、下方に向かって延在したゲート支持部３１１ｆを一体に形成している。このゲート支持部３１１ｆの上部にはゲート３４が上下方向に回動自在に設置されるゲート取付部３１１ｇを形成し、ゲート支持部３１１ｆの下部には人の指が引っ掛け可能な引っ掛け溝３１１ｈを形成し、ゲート取付部３１１ｇと引っ掛け溝３１１ｈとの間の位置には隣接する他の商品通路部材３１と係合する係合爪３１１ｉを形成している。
【００２３】
商品通路部材３１のうち底壁３１２を主に図３を参照して説明する。底壁３１２は側壁３１１の下端から直角に屈曲した状態となっており、図６に示すように、商品Ａを前後方向に載置している。底壁３１２の商品載置面３１２ａのうち後寄りが前寄りより強い傾斜となっており、後方の商品Ａが容易に前方に移動し易くなるよう工夫している。
【００２４】
底壁３１２の前端には、図３に示すように、最前列の商品Ａの落下を防止する落下規制部材３１２ｂと、隣接する他の商品通路部材３１の係合爪３１１ｉが係合する引っ掛け穴３１２ｃを形成している。底壁３１２の後端には、図３及び図４に示すように、後方に向かって複数の後面連結突起３１２ｄ，３１２ｅが並設され、中央の後面連結突起３１２ｄは大きく形成され、この後面連結突起３１２ｄを間にして位置する後面連結突起３１２ｅは小さく形成されている。底壁３１２の延在端（図３において底壁３１２の右端）には下方に向かって屈曲した第１支持受け部３１２ｆを有し、この第１支持受け部３１２ｆの側面に前後方向に延在された２個の側面連結突起３１２ｇを突設している。また、底壁３１２には左右に所定間隔をおいて配置されたスペーサ取付穴３１２ｈを有し、左右２個のスペーサ取付穴３１２Ｈは底壁３１２の前後に亘って３箇所設けられている。
【００２５】
続いて、通路側面部材３２の構成を主に図３を参照して説明する。通路側面部材３２は商品通路部材３１の側壁３１１と同様の形状となっている。また、通路側面部材３２の下部には、側壁３１１に形成した通路部材連結溝３１１ｅと同様の構造となっている通路部材連結溝（図示しない）が形成され、上部にはプッシャ第３案内溝３１１ｄと同様の構造となっているプッシャ第３案内溝（図示しない）が形成され、通路側面部材３２の前端には商品通路部材３１の係合爪３１１ｉと同様の係合爪３２１が形成されている。
【００２６】
更に、後端連結部材３３を主に図４を参照して説明する。後端連結部材３３は四角柱形状の横柱３３１と、横柱３３１の上に等間隔に配置され４本の立ち柱３３２と、横柱３３１の左右両端から下方に形成された第２支持受け部３３３とを有している。
【００２７】
横柱３３１の前面には、図４に示すように、後面連結突起３１２ｄに対応するよう形成された突起嵌合穴３３１ａと、後面連結突起３１２ｅに対応するよう形成された突起嵌合穴３３１ｂとを有している。この突起嵌合穴３３１ａを間にして左右に突起嵌合穴３３１ｂが２個配置されてなり、これらの組み合わせが横方向に３組（３個の商品通路部材３１に対応するよう）形成されている。
【００２８】
立ち柱３３２のうち左側３個の立ち柱３３２には、上部から下部に向かって第１案内溝入口３３２ａ、ゼンマイバネ案内溝入口３３２ｂ、第２案内溝入口３３２ｃが形成されている。ここで、第１案内溝入口３３２ａはプッシャ第１案内溝３１１ａに対向し、ゼンマイバネ案内溝入口３３２ｂはゼンマイバネ案内溝３１１ｂに対向し、第２案内溝入口３３２ｃはプッシャ第２案内溝３１１ｃに対向している。また、右側３個の立ち柱３３２には第３案内溝入口３３２ｄが形成され、第３案内溝入口３３２ｄは図７に示すプッシャ第３案内溝３１１ｄに対向している。
【００２９】
第２支持受け部３３３は、図５に示すように、内側を方形状に切り欠いた支持溝３３３ａを有している。この支持溝３３３ａは第２支持部材２２の径よりも大きく形成し、第２支持部材２２の後端が遊びをもって挿通している。
【００３０】
ゲート３４は、図１に示すように、商品通路部材３１の最も前端に位置する商品Ａの落下を防止するもので、図３に示すように、商品通路部材３１のゲート取付部３１１ｇに取り付け、商品通路部材３１の搬出口を開閉するようになっている。
【００３１】
スライダ３５は、図３に示すように、商品通路部材３１の底壁３１２上に設置するもので、底壁３１２の前後方向全体に亘って形成されている。スライダ３５の上面は商品Ａとの摩擦抵抗を小さくするために湾曲しており、これにより、商品Ａが円滑に前方向に移動できるようになっている。
【００３２】
プッシャ３６は、図６及び図７に示すように、全体的に上下に延在した方形状の押圧板３６１と駆動源であるゼンマイバネ３６２とから構成され、最後端の商品Ａを後から前方に向かって押圧するよう機能している。
【００３３】
押圧板３６１の上端の一方には逆Ｌ字状の第１案内片３６１ａを形成し、下部には外側に突出した第２案内片３６１ｂを形成し、押圧板３６１で上部で第１案内片３６１ａの逆側には第３案内片３６１ｃを形成している。ここで、第１案内片３６１ａは第１案内溝入口３３２ａを通じてプッシャ第１案内溝３１１ａに挿入され、第２案内片３６１ｂは第２案内溝入口３３２ｃを通じてプッシャ第２案内溝３１１ｃに挿入され、第３案内片３６１ｃは第３案内溝入口３３２ｄを通じてプッシャ第３案内溝３１１ｄに挿入される。また、押圧板３６１の側面のうち第３案内片３６１ｃ側の側面には方形状に突出した凸部３６１ｄが形成されている。
【００３４】
ゼンマイバネ３６２は、図６に示すように、押圧板３６１の後面に設置されているもので、ゼンマイバネ３６２のうち引き出されたバネ片３６２ａがゼンマイバネ案内溝入口３３２ｂ及びゼンマイバネ案内溝３１１ｂに配置され、バネ片３６２ａの先端がゼンマイバネ案内溝３１１ｂの前端に連結している。これにより、ゼンマイバネ３６２の復元力がプッシャ３６に対して前方への押圧力として加わり、プッシャ３６が前方に向かって押圧される。
【００３５】
スペーサ３７は、図８及び図９に示すように、細長板状に形成されもので、上下に間隔をおいて２本の案内枠３７１を有している。また、各案内枠３７１が内側に向かって突出しているため、各案内枠３７１の間には凹部３７２が形成されている。この凹部３７２はプッシャ３６の凸部３６１ｄの外周縁を囲むような形状になっている。また、スペーサ３７は下辺に３個の取付片３７３を有し、底壁３１２のスペーサ取付穴３１２ｈに着脱自在に固定される。
【００３６】
以上のように構成された商品コラム３の組み付け方法を、主に図３を参照して説明する。
【００３７】
まず、商品通路部材３１を左右に３個配置する。ここで、各商品通路部材３１を連結する際、各商品通路部材３１は次のように組み付ける。
【００３８】
一方の商品通路部材３１の係合爪３１１ｉを隣接する他方の商品通路部材３１の引っ掛け穴３１２ｃに挿入して互いに前端側が連結する。これにより、各商品通路部材３１が互いに位置決めされる。次いで、図７に示すように、一方の商品通路部材３１の延在端に形成された側面連結突起３１２ｇを隣接する他方の商品通路部材３１の通路部材連結溝３１１ｅに嵌め込んで、各商品通路部材３１を連結する。これにより、左右に隣接する商品通路部材３１が互いに連結する。このような連結作業を繰り返して行い３個の商品通路部材３１を連結する。
【００３９】
このような商品通路部材３１の連結作業が終了したときは、各商品通路部材３１のうちで最も端に位置する商品通路部材３１の側面に通路側面部材３２を連結する。即ち、通路側面部材３２の係合爪３２１を当該商品通路部材３１の引っ掛け穴３１２ｃに挿入するとともに、側面連結突起３１２ｇを通路側面部材３２の通路部材連結溝（図示しない）に嵌め込み、通路側面部材３２を連結する。
【００４０】
このように組み付けることにより、各商品通路部材３１内に一つずつ商品配列通路が形成され、これにより、１つの商品コラム３内に３個の商品配列通路が形成される。
【００４１】
前述の如き、商品通路部材３１と通路側面部材３２の組み付け作業が終了したときは、これらの連結強度を向上させるため、後端連結部材３３を次の要領で取り付ける。即ち、図４に示すように、各商品通路部材３１の後方に後端連結部材３３を配置するとともに、横柱３３１は各商品通路部材３１の底壁３１２の後端に対向させ、各立ち柱３３２は各側壁３１１及び通路側面部材３２の後端に対向させる。次いで、各商品通路部材３１の後面連結突起３１２ｄを後端連結部材３３の突起嵌合穴３３１ａに嵌め込み、後面連結突起３１２ｅを突起嵌合穴３３１ｂに嵌め込む。これにより、商品通路部材３１及び通路側面部材３２が後端連結部材３３により強固に連結される。なお、連結強度を更に向上させるために立て柱３３２と各側壁３１１及び通路側面部材３２とをネジなどで締結するようにしても良い。
【００４２】
このように後端連結部材３３の連結作業が終了したときは、図３に示すように、各スライダ３５を各商品通路部材３１の商品載置面３１２ａに設置し、ゲート３４を各商品通路部材３１のゲート取付部３１１ｇに取り付ける（なお、ゲート３４は各商品通路部材３１を組み付ける前に予め取り付けておいても良い）。
【００４３】
次いで、プッシャ３６を次の要領で組み付ける。即ち、まず、ゼンマイバネ３６２を押圧板３６１の後面に設置しておく。次いで、各プッシャ３６を後端連結部材３３の後方で各商品通路部材３１と対向させるように位置させる。しかる後、プッシャ３６の第１案内片３６１ａを第１案内溝入口３３２ａを介してプッシャ第１案内溝３１１ａに移動させ、プッシャ３６の第２案内片３６１ｂを第２案内溝入口３３２ｃを介してプッシャ第２案内溝３１１ｃに移動させ、プッシャ３６の第３案内片３６１ｃを第３案内溝入口３３２ｄを介してプッシャ第３案内溝３１１ｄに移動させる。一方、ゼンマイバネ３６２のバネ片３６２ａはゼンマイバネ案内溝入口３３２ｂを介してゼンマイ案内溝３１１ｂに配置され、バネ片３６２ａの先端をゼンマイ案内溝３１１ｂの先端に固定する。
【００４４】
なお、スペーサ３７により各商品通路部材３１の内側の商品通路幅を調整するときは、スペーサ３７の取付片３７３を図９に示すように内側又は外側のスペーサ取付穴３１２ｈに固定すればよい。
【００４５】
以上のような組み付け工程により商品コラム３が構成される。商品コラム３を商品収納室２内に配置するときは、図２に示すように、商品コラム３の前側を第１支持部材２１に載せ、図５に示すように、後端連結部材３３の支持溝３３３ａに第２支持部材２２を挿入する。これにより、商品コラム３が商品収納室２内に設置され、図１のように、複数の商品コラム３が商品収納室２内に配置される。
【００４６】
本実施形態に係る商品コラム３は、商品通路部材３１と通路側面部材３２を有している。そして、商品通路部材３１が前後方向に延在した側壁３１１と側壁３１１から左右一方に延在した底壁３１２とからなり底壁３１２の延在端を介して互いに連結可能となっており、また、商品通路部材３２が底壁３１２の延在端に連結可能となっている。この構造を採用することにより、商品通路部材３１は左右一方に向かって複数配置されるとともに互いに隣接する各商品通路部材３１は各延在端を介して連結され、通路側面部材３２は各商品通路部材３１のうち左右一方の最も端に位置する商品通路部材３１に延在端を介して連結されている。
【００４７】
本実施形態に係る商品コラム３によれば、隣接する各商品通路部材３１同士が側壁３１１を共通にして連結し商品コラム３を構成するため、１個の商品コラム３に複数列の商品配列通路が形成される。したがって、商品配列通路が多数の割には商品コラム３の数が全体として少なくなるため、支持部材の配置空間Ｗ１の個数もその分少なくなり、商品収納室２の商品収納容量を増大させることができる。
【００４８】
また、商品通路部材３１及び通路側面部材３２により商品配列通路が形成されるが、これらの部材３１，３２が後端連結部材３３により補強されているため、商品配列通路の歪み等を防止することができる。
【００４９】
更に、ゼンマイバネ３６２（駆動源）のバネ片３６２ａが商品通路部材３１の側壁３１１に配置され、押圧板３６１の第１〜第３案内片３６１ａ〜３６１ｃ（案内部材）がこれまた側壁３１１や通路側面部材３２に支持されている。即ち、プッシャ３６の駆動源や案内部材が全て側壁３１１に支持され、従来の如く底壁３１２に支持されるものとはなっていない。よって、従来の如く、商品を支持案内する底壁３１２が変形することがなく、底壁３１２の変形に伴う商品搬出不良を起こすことがない。
【００５０】
更にまた、図９に示すように、プッシャ３６には凸部３６１ｄを形成し、また、スペーサ３７には凸部３６１ｄの外周縁を囲むように凹部３７２を形成している。即ち、図９の実線で示すように、プッシャ３６及びスペーサ３７の両者が上下方向に亘って重なり合っている。これにより、図９の２点鎖線に示すように、通路幅を拡大するようスペーサ３７をプッシャ３６から離隔してセットする場合においても（案内枠３７１が大きく離れるときでも（図９のＷ３））、凸部３６１ｄの先端と凹部３７２の先端との間の隙間（図９のＷ４）がさほど大きくなることがなく、これにより、プッシャ３６とスペーサ３７との間の隙間に商品Ａが挟まることがない。
【００５１】
図１０は前記実施形態に係るプッシャ３６及びスペーサ３７の変形例を示すもので、前記実施形態に係るプッシャ３６及びスペーサ３７と同一構成部分は同一符号をもって表す。
【００５２】
本変形例に係るスペーサ３７’は上部の案内枠３７１の上方に更に取付片３７３を延在し、プッシャ３６’には当該取付片３７４の取付溝３６３を形成したものである。本変形例によれば、スペーサ３７’の上下端が確実に保持され、スペーサ３７’が安定的に設置されるという利点を有する。
【００５３】
図１１は前記実施形態に係るプッシャ３６の変形例を示すもので、前記実施形態に係るプッシャ３６と同一構成部分は同一符号をもって表す。
【００５４】
本変形例に係るプッシャ３６”は押圧板３６１の前面のうち商品Ａと対向する部分（前面中央）を商品Ａの外形に対応するよう湾曲溝３６４を形成している。
【００５５】
従来は押圧用の駆動源を中央に設置していたため、押圧板３６１の前面中央の厚さを薄くすることができなかった。これに対して、図１１に示すように、駆動源（ゼンマイバネ３６２）を側方寄りに設置できるため、その分中央の幅を小さくすることができる（Ｗ５の分薄くできる）。これにより、各商品通路部材３１の商品収納容量が増加するという利点を有する。
【００５６】
なお、前記実施形態では、商品コラム３を支持する各支持部材２１，２２を各商品コラム３間に設置することなく各商品コラム３の下方に設置しているが、各商品コラム３間に設置してもよいことは勿論である。
【図面の簡単な説明】
【００５７】
【図１】自動販売機の正面図
【図２】商品コラムの組み付け方法を示す分解斜視図
【図３】商品コラムの分解斜視図
【図４】商品通路部材と後端連結部材との連結構造を示す分解斜視図
【図５】後面連結部材の支持構造を示す斜視図
【図６】ゼンマイバネの配置状態を示す平面図
【図７】商品コラムの一部省略正面断面図
【図８】スペーサの側面図
【図９】スペーサを設置した状態を示す商品コラムの一部省略正面断面図
【図１０】スペーサ及びプッシャの変形例を示す商品コラムの一部省略正面断面図
【図１１】プッシャの他の変形例を示す一部切欠き平面図
【符号の説明】
【００５８】
１…自動販売機、２…商品収納室、３…商品コラム、３１…商品通路部材、３２…通路側面部材、３３…後端連結部材、３６…プッシャ、３７…スペーサ、３１１…側壁、３１２…底壁、３１１ａ…プッシャ第１案内溝、３１１ｂ…ゼンマイバネ案内溝、３１１ｃ…プッシャ第２案内溝、３１１ｄ…プッシャ第３案内溝、３１２ｄ，３１２ｅ…後面連結突起、３１２ｇ…側面連結突起、３３１ａ，３３１ｂ…突起嵌合穴、３６１ａ…第１案内片、３６１ｂ…第２案内片、３６１ｃ…第３案内片、３６１ｄ…凸部、３７２…凹部、Ａ…商品。
【図１】
2008299598.tif 000003
【図２】
2008299598.tif 000004
【図３】
2008299598.tif 000005
【図４】
2008299598.tif 000006
【図５】
2008299598.tif 000007
【図６】
2008299598.tif 000008
【図７】
2008299598.tif 000009
【図８】
2008299598.tif 000010
【図９】
2008299598.tif 000011
【図１０】
2008299598.tif 000012
【図１１】
2008299598.tif 000013